(57)【要約】【課題】ハンドレールの出入口に設けた安全装置の側方に配置された保護装置と内デッキとの間に衣服等が挟まれるのを防止した乗客コンベアを提供する。【解決手段】無端状に連結されて循環移動する移動体と、前記移動体の移動方向に沿って立設された欄干と、前記欄干の周縁部を前記移動体と同期して移動するハンドレールと、前記欄干の長手方向端部に設けられ前記ハンドレールが出入りするハンドレールの出入口と、前記ハンドレールの出入口に設けられて前記ハンドレールによる巻き込みを検出する安全装置とを備えた乗客コンベアにおいて、前記欄干は、欄干パネルと、前記欄干パネルの前記移動体側の下部を覆い前記移動体側に突出した内デッキと、前記安全装置の側方に配置され前記安全装置の側方を覆う保護装置とを有し、前記保護装置の上面が前記内デッキの下面に当接している構成とした。【選択図】  図５
2015003798.tif 000002
【特許請求の範囲】
【請求項１】
無端状に連結されて循環移動する移動体と、前記移動体の移動方向に沿って立設された欄干と、前記欄干の周縁部を前記移動体と同期して移動するハンドレールと、前記欄干の長手方向端部に設けられ前記ハンドレールが出入りするハンドレールの出入口と、前記ハンドレールの出入口に設けられて前記ハンドレールによる巻き込みを検出する安全装置とを備えた乗客コンベアにおいて、
前記欄干は、欄干パネルと、前記欄干パネルの前記移動体側の下部を覆い前記移動体側に突出した内デッキと、前記安全装置の側方に配置され前記安全装置の側方を覆う保護装置とを有し、
前記保護装置の上面が前記内デッキの下面に当接していることを特徴とする乗客コンベア。
【請求項２】
前記保護装置は、前記安全装置の前記移動体側の側方を覆う内側保護面を有し、前記内側保護面の上面が前記内デッキの下面に当接していることを特徴とする請求項１に記載の乗客コンベア。
【請求項３】
前記保護装置は、前記安全装置の前記移動体とは反対側の側方を覆う外側保護面を有することを特徴とする請求項２に記載の乗客コンベア。
【請求項４】
前記保護装置は、前記安全装置の下方を覆う下側保護面を有することを特徴とする請求項２または３に記載の乗客コンベア。
【請求項５】
前記保護装置の先端部は、前記安全装置の先端部よりも突出していることを特徴とする請求項１から４の何れかに記載の乗客コンベア。
【発明の詳細な説明】
【技術分野】
【０００１】
本発明は、エスカレータや移動歩道等の乗客コンベアに関する。
【背景技術】
【０００２】
従来の乗客コンベアでは、ハンドレールの出入口に、乗客の手足や衣服が巻き込まれないように保護するための安全装置が設けられている。
【０００３】
また、特許文献１には、この安全装置に乗客の手荷物等が衝突することによる不要な急停止を防止するために安全装置の内側側方を覆うように保護装置を配置した構成が記載されている。
【先行技術文献】
【特許文献】
【０００４】
【特許文献１】特開２０１２−１０６８４８号公報
【発明の概要】
【発明が解決しようとする課題】
【０００５】
しかしながら、特許文献１の乗客コンベアでは、保護装置の保護片の上部が、内デッキ（内デッキカバーとも呼ばれる）との干渉を避けるため、乗客コンベアの外側方向に折り曲げられ、内デッキの内部に収容されるようになっている。このため、保護片の上部の折り曲げられた部分と内デッキの下部との間に隙間が発生し、この隙間に衣服等が挟まれる可能性があった。
【０００６】
本発明の目的は、ハンドレールの出入口に設けた安全装置の側方に配置された保護装置と内デッキとの間に衣服等が挟まれるのを防止した乗客コンベアを提供することにある。
【課題を解決するための手段】
【０００７】
本発明は、上記課題を解決するために、無端状に連結されて循環移動する移動体と、前記移動体の移動方向に沿って立設された欄干と、前記欄干の周縁部を前記移動体と同期して移動するハンドレールと、前記欄干の長手方向端部に設けられ前記ハンドレールが出入りするハンドレールの出入口と、前記ハンドレールの出入口に設けられて前記ハンドレールによる巻き込みを検出する安全装置とを備えた乗客コンベアにおいて、前記欄干は、欄干パネルと、前記欄干パネルの前記移動体側の下部を覆い前記移動体側に突出した内デッキと、前記安全装置の側方に配置され前記安全装置の側方を覆う保護装置とを有し、前記保護装置の上面が前記内デッキの下面に当接している構成とした。
【発明の効果】
【０００８】
本発明によれば、ハンドレールの出入口に設けた安全装置の側方に配置された保護装置と内デッキとの間に衣服等が挟まれるのを防止した乗客コンベアを提供することができる。
【図面の簡単な説明】
【０００９】
【図１】本発明の一実施の形態による乗客コンベアの要部斜視図である。
【図２】図１に示した乗客コンベアの正面図である。
【図３】図２に示した保護装置の斜視図である。
【図４】本発明の一実施の形態による乗客コンベアの乗降口付近の全体斜視図である。
【図５】図１に示した乗客コンベアの内側側面図である。
【発明を実施するための形態】
【００１０】
本発明の実施の形態を、図面を参照しながら説明する。尚、各図および各実施例において、同一又は類似の構成要素には同じ符号を付し、説明を省略する。
【００１１】
図１は、本発明の一実施の形態による乗客コンベアの要部斜視図である。図２は、図１に示した乗客コンベアの正面図である。図３は、図２に示した保護装置の斜視図である。図４は、本発明の一実施の形態による乗客コンベアの乗降口付近の全体斜視図である。図５は、図１に示した乗客コンベアの内側側面図である。
【００１２】
詳細な図示を省略しているが、乗客コンベアは、建築構造物に載置されるフレームと、フレームの長手方向両端に設けられた乗降床とを有している。
【００１３】
そして、図４に示すように、乗客コンベアは、無端状に連結されて循環移動する移動体１７（例えば踏段等）と、移動体１７の移動方向に沿って立設された欄干１８と、欄干１８の周縁部を移動体１７と同期して移動するハンドレール３と、欄干１８の長手方向端部に設けられハンドレール３が出入りするハンドレール３の出入口と、ハンドレール３の出入口に設けられてハンドレール３による巻き込みを検出する安全装置４とを備える。
【００１４】
また、欄干１８は、欄干パネル１９と、欄干パネル１９の移動体１７側（内側）の下部を覆い移動体１７側に突出した内デッキ１５と、安全装置４の側方に配置され安全装置４の側方を覆う保護装置５とを有している。
【００１５】
また、欄干１８は、移動体１７の側方に移動体１７の移動方向に沿って配置された側部スカートガード２を有している。そして、内デッキ１５は、欄干パネル１９の下部とスカートガード２の上部との間を覆うように傾斜した形状となっている。
【００１６】
安全装置４は、乗降口近傍（乗降床近傍）におけるハンドレール３の出入口に、ハンドレール３によって乗客の手足や衣服等が巻き込まれないように保護するための装置である。
【００１７】
安全装置４は、一般に知られるように欄干１８の長手方向端部に設けられた端部スカートガード１から所定寸法だけ突出してハンドレール３の外周部に配置された変位部を有しており、ハンドレール３が乗客の手足や衣服等を巻き込んだときの変位部の変位を検知し、巻き込みを検出したことを示す検出信号を図示しない制御装置に送信する。制御装置はこの検出信号を受けて、乗客コンベアを急停止させたり、警報を出したりする。
【００１８】
さらに、欄干１８には、安全装置４の側方に、安全装置４の側方を覆う保護装置５が配置されている。この保護装置５は、安全装置４に乗客の手荷物等が衝突することによる不要な急停止を防止するために設けられている。
【００１９】
図１から図４に示すように、保護装置５は、安全装置４の移動体１７側（内側）の側方を覆う内側保護面６と、内側保護面６と対向して安全装置４の移動体１７とは反対側（外側）の側方を覆う外側保護面７と、安全装置４の下方を覆う下側保護面８とを有する。内側保護面６と外側保護面７は、ほぼ鉛直な平面となっており、下側保護面８は、ほぼ水平な平面となっており、内側保護面６と外側保護面７とを結合する。また、保護装置５は、外側保護面７の外側に一体的に形成されて端部スカートガード１側に取り付けられるようにほぼ直角に折り曲げて形成した取り付け部９を有している。また、内側保護面６および取り付け部９には、ねじによる取り付け時に使用する孔部１０，１１，２０，２１が形成されている。
【００２０】
このような保護装置５によれば、内側保護面６によって、乗客の手荷物等の安全装置４の内側からの望まない衝突を阻止することができ、外側保護面７によって、乗客の手荷物等の安全装置４の外側からの望まない衝突を阻止することができ、下側保護面８によって、乗客の手荷物等の下側からの望まない衝突を阻止することができる。
【００２１】
尚、乗客の手荷物等は、安全装置４の内側から衝突することが多いので、外側保護面７と下側保護面８は一方または両方を省略しても良い。また、保護装置５は、図３に示すように全て一体で形成した方が部品の取扱いや取り付け時の作業性を向上することができるので望ましいが、例えば外側保護面７を残して下側保護面８を省略するなどして別体で構成しても良い。
【００２２】
また、保護装置５の取り付けは、その他の種々の形状や構造によって行うことができるが、安全装置４よりも外側に配置された取り付け部９によって端部スカートガード１側に取り付けた場合には、この取り付け部９や取り付け用のねじによって乗客に悪影響を与えることがなく、安全性にも優れている。しかも、狭隘作業とはならず、取り付け時の作業性を向上することができる。
【００２３】
また、図５に示すように、内側保護面６、外側保護面７および下部保護面８は、安全装置４の先端部（前面側）よりも突出した先端部１２，１３，１４を有することが望ましい。これにより、安全装置４の前面側からの望まない衝突を阻止するように形成している。但し、誤作動の起こらない範囲で保護装置５の先端部１２，１３，１４よりも安全装置４の先端部の方が突出した構成としても良い。
【００２４】
さらに、図４、図５に示すように、保護装置５の上面１６（内側保護面６の上面１６）が、内デッキ１５の下面に当接している構成となっている。このように、内側保護面６の上面１６と内デッキ１５の下面とを当接させる、すなわち、突き合わせて接触させることにより、両者の間の隙間が無くなり、乗客の手荷物や衣服等が保護装置５に衝突した場合であっても衣服等が保護装置５と内デッキ１５との間に挟まれるのを防止することができる。
【００２５】
以上、本発明の実施の形態を説明してきたが、これらの構成はあくまで一例であり、本発明は、技術思想を逸脱しない範囲内で適宜変更が可能である。
【符号の説明】
【００２６】
１    端部スカートガード
２    側部スカートガード
３    ハンドレール
４    安全装置
５    保護装置
６    内側保護面
７    外側保護面
８    下側保護面
９    取り付け部
１０〜１１，２０〜２１  孔部
１２〜１４  先端部
１５  内デッキ
１６  内側保護面の上面
１７  移動体
１８  欄干
１９  欄干パネル
【図１】
2015003798.tif 000003
【図２】
2015003798.tif 000004
【図３】
2015003798.tif 000005
【図４】
2015003798.tif 000006
【図５】
2015003798.tif 000007